(57)【要約】【課題】紛失または盗難された際にでも第三者のギフトカードの不正使用を防止できる。【解決手段】ギフトカードの識別番号と、該ギフトカードの所持者のメールドレスとを組にして記憶し、  店舗のＰＯＳレジから、該ＰＯＳレジでギフトカードから読み取った識別番号を受信すし、  認証コードを生成し、  該ＰＯＳレジから受信した識別番号と組のメールアドレスに、生成した認証コードを送信し、  店舗の認証端末から、ギフトカードの利用者の携帯端末で受信して該認証端末で読み取った認証コードを受信し、  該認証端末から受信した認証コードと、生成した認証コードとが一致するかで、ギフトカードの利用者が正当な所持者であるかを認証処理し、  正当な所持者の場合、決済処理を行って、決済終了通知を該ＰＯＳレジ又は該認証端末に送信し、  不当な所持者の場合、不当な所持者であることを知らせる通知を該ＰＯＳレジ又は該認証端末に送信するギフトカード決済サーバ。【選択図】図１
2011238158.tif 000002
【特許請求の範囲】
【請求項１】
ギフトカードによる決済に用いられるサーバであって、
少なくとも、ギフトカードの識別番号と、該ギフトカードの所持者のメールドレスとを組にして記憶する手段と、
店舗のＰＯＳレジから、該ＰＯＳレジでギフトカードから読み取った識別番号を受信する手段と、
認証コードを生成する手段と、
該ＰＯＳレジから受信した識別番号と組にして記憶しているメールアドレスに、生成した認証コードを送信する手段と、
店舗の認証端末から、ギフトカードの利用者の携帯端末で受信して該認証端末で読み取った認証コードを受信する手段と、
該認証端末から受信した認証コードと、生成した認証コードとが一致するかで、ギフトカードの利用者が正当な所持者であるかを認証処理する手段と、
正当な所持者である場合、決済処理を行って、決済終了通知を該ＰＯＳレジ又は該認証端末に送信する手段と、
不当な所持者である場合、不当な所持者であることを知らせる通知を該ＰＯＳレジ又は該認証端末に送信する手段とを有することを特徴とするギフトカード決済サーバ。
【請求項２】
ギフトカードによる決済に用いられるサーバであって、
少なくとも、ギフトカードの識別番号と、該ギフトカードの所持者のメールドレスとを組にして記憶する手段と、
配送業者の認証端末から、該認証端末でギフトカードから読み取った識別番号を受信する手段と、
認証コードを生成する手段と、
該認証端末から受信した識別番号と組にして記憶しているメールアドレスに、生成した認証コードを送信する手段と、
該認証端末から、ギフトカードの利用者の携帯端末で受信して該認証端末で読み取った認証コードを受信する手段と、
該認証端末から受信した認証コードと、生成した認証コードとが一致するかで、ギフトカードの利用者が正当な所持者であるかを認証処理する手段と、
正当な所持者である場合、決済処理を行って、決済終了通知を該認証端末に送信する手段と、
不当な所持者である場合、不当な所持者であることを知らせる通知を該認証端末に送信する手段とを有することを特徴とするギフトカード決済サーバ。
【請求項３】
ギフトカードによる決済に用いられるサーバが実行する方法であって、
少なくとも、ギフトカードの識別番号と、該ギフトカードの所持者のメールドレスとを組にして記憶する工程と、
店舗のＰＯＳレジから、該ＰＯＳレジでギフトカードから読み取った識別番号を受信する工程と、
認証コードを生成する工程と、
該ＰＯＳレジから受信した識別番号と組にして記憶しているメールアドレスに、生成した認証コードを送信する工程と、
店舗の認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該ＰＯＳレジ又は該認証端末に送信する工程と、
不当な所持者である場合、不当な所持者であることを知らせる通知を該ＰＯＳレジ又は該認証端末に送信する工程とを含むことを特徴とするギフトカード決済方法。
【請求項４】
ギフトカードによる決済に用いられるサーバが実行する方法であって、
少なくとも、ギフトカードの識別番号と、該ギフトカードの所持者のメールドレスとを組にして記憶する工程と、
配送業者の認証端末から、該認証端末でギフトカードから読み取った識別番号を受信する工程と、
認証コードを生成する工程と、
該認証端末から受信した識別番号と組にして記憶しているメールアドレスに、生成した認証コードを送信する工程と、
該認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該認証端末に送信する工程と、
不当な所持者である場合、不当な所持者であることを知らせる通知を該認証端末に送信する工程とを含むことを特徴とするギフトカード決済方法。
【請求項５】
ギフトカードによる決済に用いられるサーバに、
少なくとも、ギフトカードの識別番号と、該ギフトカードの所持者のメールドレスとを組にして記憶する工程と、
店舗のＰＯＳレジから、該ＰＯＳレジでギフトカードから読み取った識別番号を受信する工程と、
認証コードを生成する工程と、
該ＰＯＳレジから受信した識別番号と組にして記憶しているメールアドレスに、生成した認証コードを送信する工程と、
店舗の認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該ＰＯＳレジ又は該認証端末に送信する工程と、
不当な所持者である場合、不当な所持者であることを知らせる通知を該ＰＯＳレジ又は該認証端末に送信する工程とを実行させることを特徴とするギフトカード決済プログラム。
【請求項６】
ギフトカードによる決済に用いられるサーバに、
少なくとも、ギフトカードの識別番号と、該ギフトカードの所持者のメールドレスとを組にして記憶する工程と、
配送業者の認証端末から、該認証端末でギフトカードから読み取った識別番号を受信する工程と、
認証コードを生成する工程と、
該認証端末から受信した識別番号と組にして記憶しているメールアドレスに、生成した認証コードを送信する工程と、
該認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該認証端末に送信する工程と、
不当な所持者である場合、不当な所持者であることを知らせる通知を該認証端末に送信する工程とを実行させることを特徴とするギフトカード決済プログラム。
【発明の詳細な説明】
【技術分野】
【０００１】
本発明は、ギフトカードによる決済を行なう技術に関する。
【背景技術】
【０００２】
従来のプリペイドカードを利用したサービスでは、紛失または盗難された際に第三者に不正利用される恐れがあった。さらに、こういった不正利用で被害にあう危険性もあるために、高額での利用は困難であった。
【０００３】
また、従来から、プリペイドカードＩＤに、利用者によって指定された配送先（コンビニ）と、利用者のメールアドレスとを紐付けて記憶し、この配送先に商品が配送され、このメールアドレスに配送情報を送付するシステムが知られている（例えば特許文献１参照）。しかしながら、このシステムを利用した場合であっても、上記の第三者による不正利用の被害は発生し得る。
【先行技術文献】
【特許文献】
【０００４】
【特許文献１】特開２００９−２５４００８号公報
【発明の概要】
【発明が解決しようとする課題】
【０００５】
本発明は、斯かる背景技術に鑑みてなされたもので、紛失または盗難された際にでも第三者のギフトカードの不正使用を防止できることを課題とする。
【課題を解決するための手段】
【０００６】
本発明において上記課題を解決するために、まず請求項１の発明では、
ギフトカードによる決済に用いられるサーバであって、
少なくとも、ギフトカードの識別番号と、該ギフトカードの所持者のメールドレスとを組にして記憶する手段と、
店舗のＰＯＳレジから、該ＰＯＳレジでギフトカードから読み取った識別番号を受信する手段と、
認証コードを生成する手段と、
該ＰＯＳレジから受信した識別番号と組にして記憶しているメールアドレスに、生成した認証コードを送信する手段と、
店舗の認証端末から、ギフトカードの利用者の携帯端末で受信して該認証端末で読み取った認証コードを受信する手段と、
該認証端末から受信した認証コードと、生成した認証コードとが一致するかで、ギフトカードの利用者が正当な所持者であるかを認証処理する手段と、
正当な所持者である場合、決済処理を行って、決済終了通知を該ＰＯＳレジ又は該認証端末に送信する手段と、
不当な所持者である場合、不当な所持者であることを知らせる通知を該ＰＯＳレジ又は該認証端末に送信する手段とを有することを特徴とするギフトカード決済サーバとしたものである。
【０００７】
また請求項２の発明では、
ギフトカードによる決済に用いられるサーバであって、
少なくとも、ギフトカードの識別番号と、該ギフトカードの所持者のメールドレスとを
組にして記憶する手段と、
配送業者の認証端末から、該認証端末でギフトカードから読み取った識別番号を受信する手段と、
認証コードを生成する手段と、
該認証端末から受信した識別番号と組にして記憶しているメールアドレスに、生成した認証コードを送信する手段と、
該認証端末から、ギフトカードの利用者の携帯端末で受信して該認証端末で読み取った認証コードを受信する手段と、
該認証端末から受信した認証コードと、生成した認証コードとが一致するかで、ギフトカードの利用者が正当な所持者であるかを認証処理する手段と、
正当な所持者である場合、決済処理を行って、決済終了通知を該認証端末に送信する手段と、
不当な所持者である場合、不当な所持者であることを知らせる通知を該認証端末に送信する手段とを有することを特徴とするギフトカード決済サーバとしたものである。
【０００８】
また請求項３の発明では、
ギフトカードによる決済に用いられるサーバが実行する方法であって、
少なくとも、ギフトカードの識別番号と、該ギフトカードの所持者のメールドレスとを組にして記憶する工程と、
店舗のＰＯＳレジから、該ＰＯＳレジでギフトカードから読み取った識別番号を受信する工程と、
認証コードを生成する工程と、
該ＰＯＳレジから受信した識別番号と組にして記憶しているメールアドレスに、生成した認証コードを送信する工程と、
店舗の認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該ＰＯＳレジ又は該認証端末に送信する工程と、
不当な所持者である場合、不当な所持者であることを知らせる通知を該ＰＯＳレジ又は該認証端末に送信する工程とを含むことを特徴とするギフトカード決済方法としたものである。
【０００９】
また請求項４の発明では、
ギフトカードによる決済に用いられるサーバが実行する方法であって、
少なくとも、ギフトカードの識別番号と、該ギフトカードの所持者のメールドレスとを組にして記憶する工程と、
配送業者の認証端末から、該認証端末でギフトカードから読み取った識別番号を受信する工程と、
認証コードを生成する工程と、
該認証端末から受信した識別番号と組にして記憶しているメールアドレスに、生成した認証コードを送信する工程と、
該認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該認証端末に送信する工程と、
不当な所持者である場合、不当な所持者であることを知らせる通知を該認証端末に送信
する工程とを含むことを特徴とするギフトカード決済方法。
【００１０】
また請求項５の発明では、
ギフトカードによる決済に用いられるサーバに、
少なくとも、ギフトカードの識別番号と、該ギフトカードの所持者のメールドレスとを組にして記憶する工程と、
店舗のＰＯＳレジから、該ＰＯＳレジでギフトカードから読み取った識別番号を受信する工程と、
認証コードを生成する工程と、
該ＰＯＳレジから受信した識別番号と組にして記憶しているメールアドレスに、生成した認証コードを送信する工程と、
店舗の認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該ＰＯＳレジ又は該認証端末に送信する工程と、
不当な所持者である場合、不当な所持者であることを知らせる通知を該ＰＯＳレジ又は該認証端末に送信する工程とを実行させることを特徴とするギフトカード決済プログラムとしたものである。
【００１１】
また請求項６の発明では、
ギフトカードによる決済に用いられるサーバに、
少なくとも、ギフトカードの識別番号と、該ギフトカードの所持者のメールドレスとを組にして記憶する工程と、
配送業者の認証端末から、該認証端末でギフトカードから読み取った識別番号を受信する工程と、
認証コードを生成する工程と、
該認証端末から受信した識別番号と組にして記憶しているメールアドレスに、生成した認証コードを送信する工程と、
該認証端末から、ギフトカードの利用者の携帯端末で受信して該認証端末で読み取った認証コードを受信する工程と、
該認証端末から受信した認証コードと、生成した認証コードとが一致するかで、ギフトカードの利用者が正当な所持者であるかを認証処理する工程と、
正当な所持者である場合、決済処理を行って、決済終了通知を該認証端末に送信する工程と、
不当な所持者である場合、不当な所持者であることを知らせる通知を該認証端末に送信する工程とを実行させることを特徴とするギフトカード決済プログラムとしたものである。
【発明の効果】
【００１２】
請求項１、３、及び５に係る発明は、紛失又は盗難により第三者がギフトカードを店舗で不正利用しようとしても、決済処理が行えず、不正使用が発覚して、商品の引渡しが防止できるという効果がある。
【００１３】
請求項１、３、及び５に係る発明は、紛失又は盗難により第三者がギフトカードを通販で不正利用しようとしても、決済処理が行えず、不正使用が発覚して、商品の引渡しが防止できるという効果がある。
【００１４】
以上、紛失または盗難された際にでも第三者のギフトカードの不正使用を防止できると
いう効果がある。
【図面の簡単な説明】
【００１５】
【図１】本発明のギフトカード決済サーバの第１実施形態に係るハードウエアを説明する図。
【図２】ギフトカード情報テーブルを説明する図。
【図３】購入情報テーブルを説明する図。
【図４】第１実施形態のギフトカード決済サーバによる決済に係る処理の流れを説明するフローチャート。
【図５】本発明のギフトカード決済サーバの第２実施形態に係るハードウエアを説明する図。
【図６】第２実施形態のギフトカード決済サーバによる決済に係る処理の流れを説明するフローチャート。
【発明を実施するための形態】
【００１６】
本発明のギフトカード決済サーバで対象となるギフトカードは、このギフトカードを識別する識別番号を記録する記録媒体を有する。
【００１７】
以下に、本発明のギフトカード決済サーバの実施形態を、店舗で商品を購入する場合と、通販で商品を購入する場合の２つに分けて説明する。
【００１８】
まず、第１実施形態として、店舗で商品を購入する場合のギフトカード決済サーバを説明する。
【００１９】
第１実施形態のギフトカード決済サーバは、図１に示すように、ＰＯＳレジ、認証端末、携帯端末と係る。
【００２０】
ＰＯＳレジ、認証端末は、それぞれ、店舗に設置され、専用線、インターネット、クレジットネットワーク等のネットワークで、ギフトカード決済サーバに接続される。
【００２１】
携帯端末は、携帯電話機等の携帯型の端末であって、ギフトカードの利用者に所持され、インターネット等のネットワークで、ギフトカード決済サーバからメールを受信する。
【００２２】
ギフトカード決済サーバは、ギフトカード情報テーブル、購入情報テーブルで、それぞれ、ギフトカード情報、購入情報を保存し管理するデータベースを有する。
【００２３】
ギフトカード情報テーブルは、図２に示すように、個々のギフトカード情報を、「識別番号」、「メールアドレス」、「金額」等の項目の値の組として、個々の行に格納するものである。
【００２４】
項目「識別番号」の値は、ギフトカードを識別する識別番号である。
【００２５】
項目「メールアドレス」の値は、ギフトカードの所持者のメールアドレスである。
【００２６】
項目「金額」の値は、ギフトカードで利用できる金額である。
【００２７】
購入情報テーブルは、図３に示すように、個々の購入情報を、「認証コード」、「識別番号」、「取引金額」、「取引日時」等の項目の値の組として、個々の行に格納するものである。
【００２８】
項目「認証コード」の値は、ギフトカードの利用者が、このギフトカードで決済する前に、このギフトカードの正当な所持者なのかを認証するために、ギフトカード決済サーバが発行するコードであって、この決済を識別するコードにもなっている。
【００２９】
項目「識別番号」の値は、ギフトカードを識別する識別番号である。
【００３０】
項目「取引金額」の値は、購入商品の合計金額である。
【００３１】
項目「取引日時」の値は、商品購入の決済を行った日時である。
【００３２】
ギフトカードの発行時に、ギフトカードに識別番号が入力され、ギフトカード情報テーブルに、識別番号、金額、メールアドレス、等の組が登録される。尚、発行場所は、店舗でも良い。
【００３３】
以下に、第１実施形態のギフトカード決済サーバによる決済に係る処理の流れを、図４のフローチャートに従って説明する。
【００３４】
Ｓ（ＳＴＥＰ）１；
ギフトカードの利用者が商品を店舗で購入して、このギフトカードで決済しようとする際、店員は、このギフトカードをＰＯＳレジに通す。
【００３５】
Ｓ（ＳＴＥＰ）２；
ＰＯＳレジは、通されたギフトカードから識別番号を読み取る。
【００３６】
Ｓ（ＳＴＥＰ）３；
店員は、ギフトカードの利用者が購入する商品の単価と数量を、ＰＯＳレジに入力する。
【００３７】
Ｓ（ＳＴＥＰ）４；
ＰＯＳレジは、入力された商品の単価と数量から、合計金額を計算する。
【００３８】
Ｓ（ＳＴＥＰ）５；
ＰＯＳレジは、ギフトカード決済サーバへ、読み取った識別番号と、計算した合計金額とを送信する。
【００３９】
Ｓ（ＳＴＥＰ）６；
ギフトカード決済サーバは、ＰＯＳレジから、識別番号と合計金額とを受信する。
【００４０】
Ｓ（ＳＴＥＰ）７；
ギフトカード決済サーバは、認証コードを生成する。
【００４１】
Ｓ（ＳＴＥＰ）８；
ギフトカード決済サーバは、ギフトカード情報テーブルから、ＰＯＳレジから受信した識別番号と組になっているメールアドレスを読み出し、読み出したメールアドレスに、生成した認証コードを送信する。
【００４２】
Ｓ（ＳＴＥＰ）９；
ギフトカードの利用者は、メールアドレスに送られて来た認証コードを携帯端末で受信する。
【００４３】
Ｓ（ＳＴＥＰ）１０；
店員は、認証端末で、携帯端末から認証コードを読み取る。
【００４４】
認証コードの読み取り方法としては、認証コードが暗号化された文字情報である場合、認証端末に入力するものであっても良い。また、認証コードが二次元コードの場合、メールアドレスに送られる情報は、二次元コードを掲載しているホームページのアドレス情報であって、このアドレス情報により二次元コードを携帯端末の画面上に取得して、認証端末で画像読み取りを行なっても良い。
【００４５】
Ｓ（ＳＴＥＰ）１１；
認証端末は、読み取った認証コードをギフトカード決済サーバに送信する。
【００４６】
Ｓ（ＳＴＥＰ）１２；
ギフトカード決済サーバは、認証端末から、認証コードを受信する。
【００４７】
Ｓ（ＳＴＥＰ）１３；
ギフトカード決済サーバは、認証端末から受信した認証コードが、生成した認証コードと一致する否かで、ギフトカードの利用者が、このギフトカードの正当な所持者であるかの認証処理を行い、
一致するならば正当な所持者であるとして、ＳＴＥＰ１４に進み、
他方、相違するならば不当な所持者として、ＳＴＥＰ１８に進む。
【００４８】
Ｓ（ＳＴＥＰ）１４；
ギフトカード決済サーバは、ギフトカード情報テーブルにおいて、生成した認証コードと組になっている金額を、ＰＯＳレジから受信した合計金額分だけ差し引く更新処理と、購入情報テーブルに、生成した認証コード、ＰＯＳレジから受信した識別番号、取引金額としてＰＯＳレジから受信した合計金額、取引日時として現在の日時、等の組の登録処理とからなる決済処理をする。
【００４９】
Ｓ（ＳＴＥＰ）１５；
ギフトカード決済サーバは、ＰＯＳレジまたは認証端末へ、決済終了通知を送信する。さらに、ＳＴＥＰ８で読み出したメールアドレスへも、この決済終了通知を送信しても良い。
【００５０】
Ｓ（ＳＴＥＰ）１６；
ＰＯＳレジまたは認証端末は、ギフトカード決済サーバから、決済終了通知を受信して表示する。
【００５１】
Ｓ（ＳＴＥＰ）１７；
店員は、ＰＯＳレジまたは認証端末に表示された決済終了通知を確認できたら、ギフトカードの利用者に、購入商品を渡して、ＥＮＤに進む。
【００５２】
Ｓ（ＳＴＥＰ）１８；
ギフトカード決済サーバは、ＰＯＳレジまたは認証端末へ、ギフトカードの利用者が、このギフトカードを不当に所持していることを知らせる異常通知を送信する。さらに、ＳＴＥＰ８で読み出したメールアドレスへも、この異常通知を送信しても良い。
【００５３】
Ｓ（ＳＴＥＰ）１９；
ＰＯＳレジまたは認証端末は、ギフトカード決済サーバから、異常通知を受信して表示する。
【００５４】
次に、第２実施形態として、通販で商品を購入する場合のギフトカード決済サーバを説明する。
【００５５】
第２実施形態のギフトカード決済サーバは、図５に示すように、販売サーバ、認証端末、携帯端末、据置端末と係わる。
【００５６】
販売サーバは、インターネット、電話回線等のネットワークで、携帯端末、据置端末に接続され、携帯端末、据置端末から、Ｗｅｂ或いは電話により、商品が購入できる通販用のサーバである。また、販売サーバは、専用線、インターネット、クレジットネットワーク等のネットワークで、ギフトカード決済サーバに接続される。
【００５７】
認証端末は、配送業者に所持され、専用線、インターネット、クレジットネットワーク等のネットワークで、ギフトカード決済サーバに接続される。
【００５８】
携帯端末、据置端末は、それぞれ、携帯電話機等の携帯型の端末、パソコン或いは固定電話機などの据え置き型の端末であって、ギフトカードの利用者に所持され、インターネット、電話等のネットワークで、販売サーバに接続され、Ｗｅｂ或いは電話により、商品購入に用いられる。また、携帯端末は、インターネット等のネットワークでギフトカード決済サーバからメールを受信する。
【００５９】
ギフトカード決済サーバは、ギフトカード情報テーブル、購入情報テーブルで、それぞれ、ギフトカード情報、購入情報を保存し管理するデータベースを有する。
【００６０】
ギフトカード情報テーブル、購入情報テーブルは、それぞれ、第１実施形態のものと同じである。
【００６１】
ギフトカードの発行時に、ギフトカードに識別番号が入力され、ギフトカード情報テーブルに、識別番号、金額、メールアドレス、等の組が登録されることも、発行場所は、店舗でも良いことも、第１実施形態と同じである。
【００６２】
以下に、第２実施形態のギフトカード決済サーバによる決済に係わる処理の流れを、図６のフローチャートに従って説明する。
【００６３】
Ｓ（ＳＴＥＰ）１；
ギフトカードの利用者は、携帯端末或いは据置端末から、販売サーバに接続して、Ｗｅｂ或いは電話により、商品の購入を行なう。この際、ギフトカードの利用者は、携帯端末或いは据置端末から、ギフトカードの識別番号を、販売サーバに送る。また、この際に、ギフトカードの利用者は、携帯端末或いは据置端末から、配送先の住所を、販売サーバに登録しても良し、予め登録しておいても良い。
【００６４】
Ｓ（ＳＴＥＰ）２；
販売サーバは、購入される商品の合計金額を計算し、識別番号と合計金額とをギフトカード決済サーバに送信する。
【００６５】
Ｓ（ＳＴＥＰ）３；
ギフトカード決済サーバは、販売サーバから、識別番号と合計金額とを受信する。
【００６６】
Ｓ（ＳＴＥＰ）４；
配送業者は、登録されている配送先の住所に、ギフトカードの利用者が購入する商品を持って行き、認証端末で、ギフトカードで決済しようとするギフトカードの利用者のギフトカードから識別番号を読み取ってギフトカード決済サーバに送信する。
【００６７】
Ｓ（ＳＴＥＰ）５；
ギフトカード決済サーバは、認証端末から、識別番号を受信し、この識別番号と同じで販売サーバから受信したものと一緒に販売サーバから受信した合計金額を、認証端末に送信する。
【００６８】
Ｓ（ＳＴＥＰ）６；
認証端末は、ギフトカード決済サーバから、合計金額を受信して、表示する。
【００６９】
Ｓ（ＳＴＥＰ）７；
ギフトカード決済サーバは、認証コードを生成する。
【００７０】
Ｓ（ＳＴＥＰ）８；
ギフトカード決済サーバは、ギフトカード情報テーブルから、認証端末から受信した識別番号と組になっているメールアドレスを読み出し、読み出したメールアドレスに、生成した認証コードを送信する。
【００７１】
Ｓ（ＳＴＥＰ）９；
ギフトカードの利用者は、メールアドレスに送られて来た認証コードを携帯端末で受信する。
【００７２】
Ｓ（ＳＴＥＰ）１０；
配送業者は、認証端末で、携帯端末から認証コードを読み取る。
【００７３】
認証コードの読み取り方法としては、認証コードが暗号化された文字情報である場合、認証端末に入力するものであっても良い。また、認証コードが二次元コードの場合、メールアドレスに送られる情報は、二次元コードを掲載しているホームページのアドレス情報であって、このアドレス情報により二次元コードを携帯端末の画面上に取得して、認証端末で画像読み取りを行なっても良い。
【００７４】
Ｓ（ＳＴＥＰ）１１；
認証端末は、読み取った認証コードをギフトカード決済サーバに送信する。
【００７５】
Ｓ（ＳＴＥＰ）１２；
ギフトカード決済サーバは、認証端末から、認証コードを受信する。
【００７６】
Ｓ（ＳＴＥＰ）１３；
ギフトカード決済サーバは、認証端末から受信した認証コードが、生成した認証コードと一致する否かで、ギフトカードの利用者が、このギフトカードの正当な所持者であるかの認証処理を行い、
一致するならば正当な所持者であるとして、ＳＴＥＰ１４に進み、
他方、相違するならば不当な所持者として、ＳＴＥＰ１８に進む。
【００７７】
Ｓ（ＳＴＥＰ）１４；
ギフトカード決済サーバは、ギフトカード情報テーブルにおいて、生成した認証コードと組になっている金額を、販売サーバから受信した合計金額分だけ差し引く更新処理と、購入情報テーブルに、生成した認証コード、認証端末から受信した識別番号、取引金額として認証端末から受信した識別番号と同じで販売サーバから受信したものと一緒に販売サーバから受信した合計金額、取引日時として現在の日時、等の組の登録処理とからなる決済処理をする。
【００７８】
Ｓ（ＳＴＥＰ）１５；
ギフトカード決済サーバは、認証端末へ、決済終了通知を送信する。さらに、ＳＴＥＰ８で読み出したメールアドレスへも、この決済終了通知を送信しても良い。
【００７９】
Ｓ（ＳＴＥＰ）１６；
認証端末は、ギフトカード決済サーバから、決済終了通知を受信して表示する。
【００８０】
Ｓ（ＳＴＥＰ）１７；
配送業者は、認証端末に表示された決済終了通知を確認できたら、ギフトカードの利用者に、購入商品を渡して、ＥＮＤに進む。
【００８１】
Ｓ（ＳＴＥＰ）１８；
ギフトカード決済サーバは、認証端末へ、ギフトカードの利用者が、このギフトカードを不当に所持していることを知らせる異常通知を送信する。さらに、ＳＴＥＰ８で読み出したメールアドレスへも、この異常通知を送信しても良い。
【００８２】
Ｓ（ＳＴＥＰ）１９；
認証端末は、ギフトカード決済サーバから、異常通知を受信して表示する。
【図１】
2011238158.tif 000003
【図２】
2011238158.tif 000004
【図３】
2011238158.tif 000005
【図４】
2011238158.tif 000006
【図５】
2011238158.tif 000007
【図６】
2011238158.tif 000008